(57)【特許請求の範囲】
【請求項１】
被写体を撮像する撮像素子と、
前記被写体に到達する光を発光する発光素子と、
通常の使用時に前記発光素子の発光を制御する制御部とを備え、
前記制御部は、前記撮像素子の使用中に、前記被写体との距離に応じて、前記通常の使用時に点滅または点灯させていた前記発光素子の発光輝度よりも低く変更して前記発光素子を点滅または点灯させることを特徴とする電子機器。
【請求項２】
前記発光素子および前記撮像素子が筐体に設けられており、
前記発光素子は、前記撮像素子で撮像するときに前記被写体に向ける前記筐体の面と同じ面で発光することを特徴とする請求項１に記載の電子機器。
【請求項３】
前記制御部は、前記撮像素子の使用中に、前記通常の使用時に点滅または点灯させていた前記発光素子の発光輝度よりも低くすると共に、前記発光素子の点滅または点灯の強弱を緩やかにさせることを特徴とする請求項１または請求項２に記載の電子機器。
【請求項４】
前記制御部は、前記撮像素子の使用中に、前記撮像素子の露光時間を含む期間に応じて、前記通常の使用時に点滅または点灯させていた前記発光素子の発光を消灯させることを特徴とする請求項１または請求項２に記載の電子機器。
【請求項５】
前記制御部は、前記撮像素子の使用中に、前記撮像素子が撮像するときの照度に応じて、前記通常の使用時に点滅または点灯させていた前記発光素子の発光輝度を低く変更して前記発光素子を点滅または点灯させることを特徴とする請求項１から請求項３までの何れかに記載の電子機器。
【請求項６】
前記発光素子に加えて、前記発光素子が発光する方向とは異なる方向に発光する追加の発光素子を備え、
前記制御部は、前記撮像素子の使用中に、前記追加の発光素子を点滅または点灯させることを特徴とする請求項１または請求項２に記載の電子機器。
【請求項７】
前記制御部は、前記撮像素子の使用中に、前記被写体との距離に応じて、前記通常の使用時に点滅または点灯させていた前記発光素子を消灯させて前記追加の発光素子を点滅または点灯させることを特徴とする請求項６に記載の電子機器。
【請求項８】
前記制御部は、前記撮像素子の使用中に、前記被写体との距離に応じて、前記通常の使用時に点滅または点灯させていた前記発光素子の発光輝度よりも低くすると共に、前記追加の発光素子を点滅または点灯させることを特徴とする請求項６に記載の電子機器。
【発明の詳細な説明】
【技術分野】
【０００１】
本発明は、撮像素子を備えた電子機器に関する。
【背景技術】
【０００２】
従来、撮像素子を備えた携帯可能な小型装置としては、例えば、メモリカードへの画像データの記録処理が終了すると緑色の発光ダイオードを点滅させて記録処理の終了を使用者に報知するディジタル電子スチルカメラが知られている（例えば、特許文献１参照）。この一例のように、近年、発光ダイオード等の発光素子は、カメラに関わる動作状態を撮影者に通知するための有効な手段となっている。
【０００３】
また、カメラに設けられたＬＥＤ（Light-Emitting Diode）を用いて動作状態を撮影者に通知する技術としては、フィルムの露光期間中に、撮影者に露出情報を知らせるためのＬＥＤの光量を所定の低照度に設定することにより、電池の消費電力の節約と撮影者の利便性とを両立させているものが知られている（例えば、特許文献２参照）。
【０００４】
さらに、ＬＥＤを用いて動作状態を撮影者に通知する技術としては、シャッターの開放期間と同じ期間中にＬＥＤを発光するものが知られている（例えば、特許文献３および特許文献４参照）。
【０００５】
また、ＬＥＤを用いたカメラとしては、カメラのフラッシュに用いられるキセノン放電管に替えて複数の白色ＬＥＤを用いたものがあり、白色ＬＥＤの光量が低いため、シャッターと同期をとりシャッターの開度に応じて露光量の損失を補填するよう制御するものが知られている（例えば、特許文献５参照）。
【０００６】
近年、携帯電話機にはカメラが設けられており、携帯電話機に設けられたカメラで使用者が手軽に撮影できるようになってきた。しかしながら、使用者が手軽に携帯電話機で撮影できるため、カメラ付きの携帯電話機で盗み撮りが簡単にできてしまうことが問題になっている。そこで、盗み撮り（以下、盗撮という。）を防止する技術としては、携帯電話機に設けられたカメラを使用する際、携帯電話機に設置されたＬＥＤで発光させるものがある。
【０００７】
また、携帯電話機に設置されたＬＥＤの用途としては、カメラに関わる動作状態の通知や盗撮を防止するという目的だけに限らず、高輝度で光を放って照射範囲を拡大させると共に光が点滅したり色が変化したりするよう光りの演出を目的としている。また、携帯電話機に設置されたＬＥＤは、設置スペースを省略するため、カメラに関わる動作状態の通知、盗撮防止、および光りの演出というそれぞれの目的で兼用されている。
【特許文献１】特開平６−１８９１６８号公報
【特許文献２】特開平７−２９５０５８号公報
【特許文献３】特開平９−６８７４２号公報
【特許文献４】特開平１０−４８７０８号公報
【特許文献５】特開２００５−９９３４９号公報
【発明の開示】
【発明が解決しようとする課題】
【０００８】
しかしながら、上述した従来の携帯電話機では、携帯電話機のカメラ機能を使用する際に、光りの演出や盗撮を防止するためのＬＥＤが高輝度で点滅してしまうと、暗い場所で被写体を撮影するときや近距離で被写体を撮影するときなどに、ＬＥＤが放つ光が画像に写り込んでしまうという課題が残されていた。
【０００９】
また、携帯電話機のカメラ機能を使用する際に、被写体を撮影するときの被写体をディスプレイに前もって動画で表示する機能（以下、プレビュー機能という。）が作動している場合や動画の録画が作動している場合に、光りの演出や盗撮を防止するためのＬＥＤが高輝度で点滅してしまうと、ディスプレイ全体の映像が瞬間的に明るくなったり暗くなったり変化する、いわゆる、ぱかつきが発生してしまう課題も残されていた。
【００１０】
本発明は、従来の課題を解決するためになされたもので、カメラ付きの電子機器で被写体を撮像する際に、ＬＥＤのような発光素子が放つ光の影響を抑制することができる電子機器を提供するものである。
【課題を解決するための手段】
【００１１】
本発明の電子機器は、被写体を撮像する撮像素子と、前記被写体に到達する光を発光する発光素子と、通常の使用時に前記発光素子の発光を制御する制御部とを備え、前記制御部は、前記撮像素子の使用中に、前記被写体との距離に応じて、前記通常の使用時に点滅または点灯させていた前記発光素子の発光輝度よりも低く変更して前記発光素子を点滅または点灯させる構成を有している。
【００１２】
この構成により、撮像素子の使用中に、発光素子の発光輝度を通常使用時の発光輝度よりも被写体との距離に応じて低く変更して発光素子を点滅または点灯させるため、カメラ付きの電子機器で被写体を撮像する際に、発光素子が放つ光の影響を抑制することができる。
【００１３】
また、本発明の電子機器の前記制御部は、前記撮像素子の使用中に、前記通常の使用時に点滅または点灯させていた前記発光素子の発光輝度よりも低くすると共に、前記発光素子の点滅または点灯の強弱を緩やかにさせる構成を有している。
【００１４】
この構成により、発光素子の発光輝度を通常使用時の発光輝度よりも低くすると共に、発光素子の点滅または点灯の強弱を緩やかにさせるため、被写体を撮像するときの映像の輝度を安定することができる。
【００１５】
また、本発明の電子機器の前記制御部は、前記撮像素子の使用中に、前記撮像素子の露光時間を含む期間に応じて、前記通常の使用時に点滅または点灯させていた前記発光素子の発光を消灯させる構成を有している。
【００１６】
この構成により、撮像素子の露光時間を含む期間に応じて、通常の使用時に点滅または点灯させていた発光素子の発光を消灯させるため、被写体を撮像するときの画像に光が写り込んでしまうことを防止することができる。
【００１７】
また、本発明の電子機器の前記制御部は、前記撮像素子の使用中に、前記撮像素子が撮像するときの照度に応じて、前記通常の使用時に点滅または点灯させていた前記発光素子の発光輝度を低く変更して前記発光素子を点滅または点灯させる構成を有している。
【００１８】
この構成により、撮像素子が撮像するときの照度に応じて、通常使用時の発光輝度を低く変更して発光素子を点滅または点灯させるため、被写体を撮像するときの映像に対する光の影響を抑制することができる。
【００２１】
また、本発明の電子機器は、前記発光素子に加えて、前記発光素子が発光する方向とは異なる方向に発光する追加の発光素子を備え、前記制御部は、前記撮像素子の使用中に、前記追加の発光素子を点滅または点灯させる構成を有している。
【００２２】
この構成により、撮像素子の使用中に追加の発光素子を点滅または点灯させるため、撮像されている者が撮像されていることに気付かせ、さらに、撮像者の周りに居る人に気付かせることができる。
【００２３】
また、本発明の電子機器の前記制御部は、前記撮像素子の使用中に、前記被写体との距離に応じて、前記通常の使用時に点滅または点灯させていた前記発光素子を消灯させて前記追加の発光素子を点滅または点灯させる構成を有している。
【００２４】
この構成により、撮像素子が撮像する被写体との距離に応じて、通常の使用時に点滅または点灯させていた発光素子を消灯させて追加の発光素子を点滅または点灯させるため、カメラ画像への光の影響を抑制するとともに、撮像されている者が撮像されていることに気付かせ、さらに、撮像者の周りに居る人に気付かせることができる。
【００２５】
また、本発明の電子機器の前記制御部は、前記撮像素子の使用中に、前記被写体との距離に応じて、前記通常の使用時に点滅または点灯させていた前記発光素子の発光輝度よりも低くすると共に、前記追加の発光素子を点滅または点灯させる構成を有している。
【００２６】
この構成により、撮像素子が撮像する被写体との距離に応じて、通常の使用時に点滅または点灯させていた発光輝度よりも低くすると共に、追加の発光素子を点滅または点灯させるため、カメラ画像への光の影響を抑制するとともに、撮像されている者が撮像されていることに気付かせ、さらに、撮像者の周りに居る人に気付かせることができる。
【発明の効果】
【００２７】
以上のように本発明は、カメラ付きの電子機器で被写体を撮像する際に、発光素子が放つ光の影響を抑制することができる電子機器を提供するものである。
【発明を実施するための最良の形態】
【００２８】
以下、本発明の実施の形態に係る電子機器について、図面を参照して説明する。また、本発明の実施の形態では、本発明に係る電子機器の一例として携帯電話機について説明する。
【００２９】
（本発明の第１の実施の形態）
図１は、本発明の第１の実施の形態に係る携帯電話機の構成を示した模式図である。図１（Ａ）において、携帯電話機１０は、筐体１１内に被写体を撮像する撮像素子１２を設け、撮像素子１２で撮像するとき被写体に向ける筐体１１の面と同じ面で発光する発光素子を有している。なお、この発光素子は、図１（Ａ）に示すように、撮像素子１２が撮像する被写体に到達する光を発光するようになっている。
【００３０】
図示した発光範囲１３は、外部に向けて発光素子が発光する範囲であり、発光素子は、ＬＥＤなどで構成されている。なお、本発明に係る発光素子は、発光するものであれば如何なるものでもよいが、本発明の実施の形態では、ＬＥＤを例にとって説明する。
【００３１】
なお、本発明の実施の形態に係るＬＥＤの用途としては、盗撮防止および光りの演出というそれぞれの目的で兼用され、本発明の実施の形態に係るＬＥＤは、高輝度で光を放って照射範囲を拡大させると共に、光が点滅したり色が変化したりするように制御されている。
【００３２】
また、図１（Ｂ）において、携帯電話機１０は、撮像素子１２で撮像するとき被写体に向ける筐体１１の面と反対の面すなわち裏面に、液晶ディスプレイ１４を備えている。液晶ディスプレイ１４は、通常では携帯電話機１０の操作に使用すると共に、ウェブや映像データ等の電子的なコンテンツを表示することにも用いられる。また、携帯電話機１０のカメラ機能を使用する際には、例えば、被写体が液晶ディスプレイ１４に前もって動画で表示されるプレビュー機能が作動する。
【００３３】
図２は、本発明の第１の実施の形態に係る携帯電話機の構成を示したブロック図である。図２に示すように、携帯電話機１０は、撮像素子１２と、撮像素子１２が出力した映像信号を調整するよう処理する信号処理部１６と、発光範囲１３で発光するＬＥＤ１７と、携帯電話機１０を使用する通常の使用時に、ＬＥＤ１７を点滅させるよう制御する制御部１８とを備えている。なお、信号処理部１６は集積回路およびＣＰＵ等のプロセッサによって構成され、制御部１８も集積回路およびＣＰＵ等のプロセッサによって構成されている。
【００３４】
以上のように構成された本発明の第１の実施の形態に係る携帯電話機の動作について以下に説明する。図３は、携帯電話機１０の動作のうち１つ目の態様を示すフローチャートである。
【００３５】
まず、通常で携帯電話機１０を使用する時、制御部１８は、ＬＥＤ１７を点滅させるよう制御している。ここで、使用者が携帯電話機１０を操作して携帯電話機１０をカメラ機能を使用する状態にしたとき撮像素子１２が使用中となって、制御部１８は、カメラ機能が起動された旨の通知を受ける（Ｓ１）。
【００３６】
携帯電話機１０のカメラ機能を使用する状態にしたとき、プレビュー機能が作動し、制御部１８は、通常の使用時に点滅させていたＬＥＤ１７の発光輝度を通常使用時の発光輝度よりも低くしてＬＥＤ１７を点滅させる（Ｓ２）。勿論、このときの発光輝度は、ＬＥＤが放つ光が画像に写り込まない程度の輝度であり、液晶ディスプレイ１４にぱかつきが発生しない程度の輝度である。
【００３７】
ここで、制御部１８がＬＥＤ１７の発光輝度を調整する様子を示す図を図４に示す。図４（Ａ）に示すように、制御部１８は、ステップＳ２でＬＥＤ１７の発光輝度を通常使用時の発光輝度より低くＬＥＤ１７を点滅させる。
【００３８】
また、信号処理部１６は、ＡＧＣ（Automatic Gain Control）の機能を有しており、ＡＧＣ機能は、撮像素子１２が出力した映像信号を調整している。ＡＧＣ機能の性能によっては、図４（Ａ）に示したように急峻に発光輝度を上げたり下げたりすると、信号処理部１６のＡＧＣ機能が被写体の映像の明るさの変化に追従できなくなり、図４（Ｂ）に示すように、液晶ディスプレイ１４に表示される映像の平均輝度が安定せずにぱかつきが発生することもある。
【００３９】
そこで、制御部１８は、ステップＳ２でＬＥＤ１７の発光輝度を通常使用時の発光輝度より低くすると共に、図４（Ｃ）に示すように、ＬＥＤ１７の点滅の強弱を緩やかにさせる。ＬＥＤ１７の点滅の強弱が緩やかになるため、信号処理部１６のＡＧＣ機能が、被写体の映像の明るさの変化に追従できるようになり、図４（Ｄ）に示すように、液晶ディスプレイ１４に表示される映像の平均輝度が安定してぱかつきが発生しない。
【００４０】
図５は、携帯電話機１０の動作のうち２つ目の態様を示すフローチャートである。
【００４１】
まず、使用者が携帯電話機１０を操作して携帯電話機１０をカメラ機能を使用する状態にしたとき撮像素子１２が使用中となって、制御部１８は、カメラ機能が起動された旨の通知を受ける（Ｓ１）。携帯電話機１０のカメラ機能を使用する状態にしたとき、制御部１８は、使用者が被写体を近距離で撮像しているか否かを判定する（Ｓ３）。
【００４２】
また、制御部１８は、携帯電話機１０に設けられているマクロ撮影のスイッチがＯＮか否かを判定し、マクロ撮影のスイッチがＯＮであるとき、使用者が被写体を近距離で撮像していると判断するようにしてもよい。また、被写体との距離を測定するセンサーやオートフォーカス機能などの計測手段が携帯電話１０に設けられており、制御部１８は、この計測手段で測定した被写体との距離が所定値以下であるとき、使用者が被写体を近距離で撮像していると判断するようにしてもよい。
【００４３】
次に、使用者が被写体を近距離で撮像していない場合、制御部１８は、使用者が被写体を低い照度で撮像しているか否かを判定する（Ｓ４）。また、制御部１８は、信号処理部１６が測定した照度が所定値以下であるとき、使用者が被写体を低い照度で撮像していると判断するようにしてもよい。
【００４４】
なお、照度は、露光時間やＡＧＣに関わるゲインの値で特定してもよい。例えば、露光時間は、プレビュー時に１フレーム毎に照度に応じて変化する。即ち、照度が低い（暗い）と露光時間が長くなり、照度が高い（明るい）と露光時間が短くなる。照度が低い（暗い）場合は、さらに露光時間を長くするためいくつかフレームを重ねて露光する場合がある。この様に、必要な光量が取り入れる露光時間の長短が変化するため、露光時間で照度が特定できる。また、ＡＧＣは、照度に応じてゲインを変化させる。即ち、照度が低い（暗い）とゲインが大きくなり、照度が高い（明るい）とゲインが小さくなるため、ＡＧＣに関わるゲインの値で照度が特定できる。
【００４５】
ここで、使用者が被写体を近距離で撮像している場合、または、使用者が被写体を低い照度で撮像している場合の何れかを満たしているとき、制御部１８は、図４に示したように、ＬＥＤ１７の発光輝度を通常使用時の発光輝度よりも低くしてＬＥＤ１７を点滅させる（Ｓ２）。
【００４６】
使用者が被写体を近距離で撮像しておらず、かつ使用者が被写体を低い照度で撮像していない場合、制御部１８は、ＬＥＤ１７の発光輝度を通常使用時の発光輝度でＬＥＤ１７を点滅させる（Ｓ５）。
【００４７】
なお、ステップＳ２では、被写体との距離が近い程、制御部１８がＬＥＤ１７の発光輝度を低く変更するようにしてもよい。また、明るい場所で、制御部１８がＬＥＤ１７を低い輝度で点灯させると、ＬＥＤ１７が放つ光の視認性が悪くなるため、ステップＳ２では、使用者が被写体を撮像するときの照度が明るい程、制御部１８がＬＥＤ１７の発光輝度を高くし、使用者が被写体を撮像するときの照度が暗い程、制御部１８がＬＥＤ１７の発光輝度を低く変更するようにしてもよい。
【００４８】
図６は、携帯電話機１０の動作のうち３つ目の態様を示すタイムチャートである。まず、通常で携帯電話機１０を使用する時、制御部１８は、ＬＥＤ１７を点滅させるよう制御している。
【００４９】
使用者が携帯電話機１０を操作して携帯電話機１０をカメラ機能を使用する状態にしたとき撮像素子１２が使用中となって、１フレームごとに被写体を撮像する際の露出補正値や露光期間が算出さる。シャッターが押されて被写体を静止画として撮影するとき、図６に示すように、静止画として取り込む画像の露光期間中、信号処理部１６が制御部１８に通知する通知信号がＯＦＦになる。通知信号がＯＦＦになっている間、制御部１８は、図６に示すように、通常の使用時に点滅させていたＬＥＤ１７の点灯を消灯させる。
【００５０】
従って、携帯電話機１０は、通常の使用時に点滅させていたＬＥＤ１７の点灯を消灯させることで、被写体を撮像するときの画像に光が写り込んでしまうことを防止することができる。なお、通知信号がＯＦＦになっている間、すなわち露光期間中、制御部１８は、通常の使用時に点滅させていたＬＥＤ１７の点灯を消灯させるとしたが、露出補正値や露光期間の算出時にＬＥＤの光が与える影響を抑制するために、露出補正の値や露光期間を算出する期間および露光期間の間、通知信号をＯＦＦにして、通常の使用時に点滅または点灯しているＬＥＤ１７を消灯させるようにしてもよい。
【００５１】
以上説明したように、本発明の第１の実施の形態に係る携帯電話機は、通常の使用時に点滅させていたＬＥＤ１７の発光輝度を、照度や被写体との距離等に応じて、通常使用時の発光輝度よりも低くしてＬＥＤ１７を点滅させるため、カメラ付きの携帯電話機１０で被写体を撮像する際に、発光素子が放つ光の影響を抑制することができる。
【００５２】
なお、本発明の第１の実施の形態で、制御部１８は、ステップＳ２で通常使用時の発光輝度よりも低くしてＬＥＤ１７を点滅させ、ステップＳ５では通常使用時の発光輝度でＬＥＤ１７を点滅させるとしたが、他の態様としては、制御部１８は、ステップＳ５で通常使用時の発光輝度よりも低い第１の低輝度でＬＥＤ１７を点滅させ、ステップＳ２では第１の低輝度よりも低い第２の低輝度でＬＥＤ１７を点滅させることが可能である。
【００５３】
（本発明の第２の実施の形態）
図７は、本発明の第２の実施の形態に係る携帯電話機の構成を示した模式図である。なお、本発明の第２の実施の形態に係る携帯電話機を構成する構成部材のうち、本発明の第１の実施の形態に係る携帯電話機を構成する構成部材と同じものには、同じ符号を付し、それぞれの説明を省略する。
【００５４】
図７（Ａ）において、携帯電話機２０は、図１（Ａ）で説明したものと同様である。また、図７（Ｂ）において、携帯電話機１０は、撮像素子１２で撮像するとき被写体に向ける筐体１１の面と反対の面すなわち裏面に、液晶ディスプレイ１４に加えて、外部に向けて発光範囲１５で発光する発光素子を備えている。以降、発光範囲１５で発光する発光素子をＬＥＤとして説明する。
【００５５】
図８は、本発明の第２の実施の形態に係る携帯電話機の構成を示したブロック図である。図８に示すように、携帯電話機１０は、撮像素子１２、信号処理部１６、ＬＥＤ１７、および制御部１８に追加して、発光範囲１５で発光するＬＥＤ１９を備えている。
【００５６】
以上のように構成された本発明の第２の実施の形態に係る携帯電話機の動作について以下に説明する。図９は、第２の実施の形態に係る携帯電話機の動作を示すフローチャートである。なお、本発明の第２の実施の形態に係る携帯電話機の動作のうち、本発明の第１の実施の形態に係る携帯電話機の動作と同じものには、同じ符号を付している。
【００５７】
まず、使用者が携帯電話機２０を操作して携帯電話機２０をカメラ機能を使用する状態にしたとき撮像素子１２が使用中となって、制御部１８は、カメラ機能が起動された旨の通知を受ける（Ｓ１）。携帯電話機２０のカメラ機能を使用する状態にしたとき、プレビュー機能が作動し、制御部１８は、使用者が被写体を近距離で撮像しているか否かを判定する（Ｓ３）。  
【００５８】
次に、使用者が被写体を近距離で撮像している場合、制御部１８は、ＬＥＤ１７を消灯させ（Ｓ６）、ＬＥＤ１９を点灯させる（Ｓ７）。なぜなら、盗撮者がとても近い距離で被写体を盗撮している場合には、ＬＥＤ１７が点灯していても盗撮されている者が盗撮されていることに気付かないことが多いため、裏面のＬＥＤ１９が点灯するようにしている。
【００５９】
また、使用者が被写体を近距離で撮像していない場合、制御部１８は、使用者が被写体を低い照度で撮像しているか否かを判定する（Ｓ４）。使用者が被写体を低い照度で撮像している場合、制御部１８は、通常の使用時に点滅させていたＬＥＤ１７の発光輝度を通常使用時の発光輝度よりも低くしてＬＥＤ１７を点滅させる（Ｓ２）。
【００６０】
使用者が被写体を低い照度で撮像していない場合、制御部１８は、通常の使用時に点滅させていたＬＥＤ１７の発光輝度を通常使用時の発光輝度でＬＥＤ１７を点滅させる（Ｓ５）。
【００６１】
以上、説明したように、本発明の第２の実施の形態に係る携帯電話機は、撮像素子１２が撮像する被写体との距離に応じて、通常の使用時に点滅させていたＬＥＤ１７を消灯させてＬＥＤ１９を点灯させるため、撮像されている者が撮像されていることに気付かせると共に、撮像者の周りに居る人に気付かせることができる。
【００６２】
なお、本発明の第２の実施の形態で、制御部１８は、ステップＳ２で通常使用時の発光輝度よりも低くしてＬＥＤ１７を点滅させ、ステップＳ５では通常使用時の発光輝度でＬＥＤ１７を点滅させるとしたが、他の態様としては、制御部１８は、ステップＳ５で通常使用時の発光輝度よりも低い第１の低輝度でＬＥＤ１７を点滅させ、ステップＳ２では第１の低輝度よりも低い第２の低輝度でＬＥＤ１７を点滅させることが可能である。
【００６３】
なお、本発明の第２の実施の形態に係るステップ６で、制御部１８は、ＬＥＤ１７を消灯させるとしたが、替わりに、ＬＥＤ１７の発光輝度を通常使用時の発光輝度より低くＬＥＤ１７を点滅もしくは点灯させるようにしてもよい。また、ステップ７で、制御部１８は、ＬＥＤ１９を点灯させるとしたが、替わりに、ＬＥＤ１９を点滅させるようにしてもよい。
【００６４】
ところで、上述した本発明の実施の形態では、携帯電話機を使用する通常の使用時またはステップ５で、ＬＥＤ１７を点滅させ、携帯電話機のカメラ機能を使用する状態にしたとき、ステップ２でＬＥＤ１７の発光輝度を通常使用時の発光輝度より低くＬＥＤ１７を点滅させるとしたが、替わりに、携帯電話機のカメラ機能を使用する状態にしたとき、ステップ２でＬＥＤ１７の発光輝度を通常使用時の発光輝度より低くＬＥＤ１７を点灯させてもよいし、さらに、通常の使用時またはステップ５で、ＬＥＤ１７を点灯させ、携帯電話機のカメラ機能を使用する状態にしたとき、ステップ２でＬＥＤ１７の発光輝度を通常使用時の発光輝度より低くＬＥＤ１７を点滅または点灯させるようにしてもよい。
【００６５】
また、本発明は、被写体が電子機器のディスプレイに前もって動画で表示されるプレビュー時や動画撮像時にだけ実施されることはなく、静止画撮像時にも実施可能である。
【産業上の利用可能性】
【００６６】
以上のように、本発明は、カメラ付きの電子機器で被写体を撮像する際に、発光素子が放つ光の影響を抑制することができるという効果を有し、デジタルカメラや携帯電話機等を含む電子機器に有用である。
【図面の簡単な説明】
【００６７】
【図１】本発明の第１の実施の形態に係る携帯電話機の構成を示した模式図
【図２】本発明の第１の実施の形態に係る携帯電話機の構成を示したブロック図
【図３】本発明の第１の実施の形態に係る携帯電話機の動作のうち１つ目の態様を示すフローチャート
【図４】本発明の第１の実施の形態に係る制御部がＬＥＤの発光輝度を調整する様子を示す図
【図５】本発明の第１の実施の形態に係る携帯電話機の動作のうち２つ目の態様を示すフローチャート
【図６】本発明の第１の実施の形態に係る携帯電話機の動作のうち３つ目の態様を示すタイムチャート
【図７】本発明の第２の実施の形態に係る携帯電話機の構成を示した模式図
【図８】本発明の第２の実施の形態に係る携帯電話機の構成を示したブロック図
【図９】第２の実施の形態に係る携帯電話機の動作を示すフローチャート
【符号の説明】
【００６８】
１０、２０  携帯電話機
１１  筐体
１２  撮像素子
１３、１５  発光範囲
１４  液晶ディスプレイ
１６  信号処理部
１７、１９  ＬＥＤ
１８  制御部
【図１】
0004691560.tif 000002
【図２】
0004691560.tif 000003
【図３】
0004691560.tif 000004
【図４】
0004691560.tif 000005
【図５】
0004691560.tif 000006
【図６】
0004691560.tif 000007
【図７】
0004691560.tif 000008
【図８】
0004691560.tif 000009
【図９】
0004691560.tif 000010